(57)【要約】【課題】所望の方向に光を出射することができる光源装置を提供する。【解決手段】本発明に係る光源装置１００は、第１の光Ｌ１を出射する発光素子２０と、第１の光Ｌ１により励起されて第２の光Ｌ２を発光する蛍光発光部４０と、第２の光Ｌ２を反射させる鏡面１２を有する凹面鏡１０と、を含み、蛍光発光部４０は、凹面鏡１０と離間し、かつ、鏡面１２の回転軸Ｒ上に配置されている。【選択図】図１
2011164449.tif 000002
【特許請求の範囲】
【請求項１】
第１の光を出射する発光素子と、
前記第１の光により励起されて第２の光を発する蛍光発光部と、
前記第２の光を反射させる鏡面を有する凹面鏡と、
を含み、
前記蛍光発光部は、前記凹面鏡と離間し、かつ、前記鏡面の回転軸上に配置されている、光源装置。
【請求項２】
請求項１において、
前記鏡面の形状は、放物面であり、
前記蛍光発光部は、前記鏡面の焦点を含んで配置されている、光源装置。
【請求項３】
請求項１において、
前記鏡面の形状は、楕円面であり、
前記蛍光発光部は、前記鏡面の焦点を含んで配置されている、光源装置。
【請求項４】
請求項１ないし３のいずれか１項において、
前記発光素子は、前記凹面鏡の前記鏡面とは反対の面側に配置されている、光源装置。
【請求項５】
請求項１ないし４のいずれか１項において、
前記鏡面に設けられ、前記蛍光発光部を支持する支持部を、さらに含み、
前記支持部の材質は、金属である、光源装置。
【請求項６】
請求項１ないし５のいずれか１項において、
前記発光素子は、複数設けられている、光源装置。
【請求項７】
請求項６において、
複数の前記発光素子は、前記鏡面側から平面視して、前記蛍光発光部に対して回転対称に配置されている、光源装置。
【請求項８】
請求項１ないし７のいずれか１項に記載の光源装置と、
前記光源装置から出射された光を画像情報に応じて変調する光変調装置と、
前記光変調装置によって形成された画像を投射する投射装置と、
を含む、プロジェクター。
【発明の詳細な説明】
【技術分野】
【０００１】
本発明は、光源装置およびプロジェクターに関する。
【背景技術】
【０００２】
プロジェクターや照明装置などの光源用の光源装置として、発光ダイオードや半導体レーザー等の発光素子を用いた光源装置が期待されている。例えば特許文献１には、発光ダイオードが導光板の側面に配置された構造において、発光ダイオードからの入射光を導光板内の蛍光体粒子に照射し、所定の波長光を出射する技術が開示されている。
【０００３】
しかしながら、特許文献１に記載された技術では、蛍光体粒子からの波長光が発散してしまい、光の利用効率が低下する場合がある。
【先行技術文献】
【特許文献】
【０００４】
【特許文献１】特開２００９−１６２８９号公報
【発明の概要】
【発明が解決しようとする課題】
【０００５】
本発明のいくつかの態様に係る目的の１つは、所望の方向に光を出射することができる光源装置を提供することにある。また、本発明のいくつかの態様に係る目的の１つは、上記光源装置を有するプロジェクターを提供することにある。
【課題を解決するための手段】
【０００６】
本発明に係る光源装置は、
第１の光を出射する発光素子と、
前記第１の光により励起されて第２の光を発する蛍光発光部と、
前記第２の光を反射させる鏡面を有する凹面鏡と、
を含み、
前記蛍光発光部は、前記凹面鏡と離間し、かつ、前記鏡面の回転軸上に配置されている。
【０００７】
このような光源装置によれば、第２の光を所望の方向に出射させることができる。
【０００８】
本発明に係る光源装置において、
前記鏡面の形状は、放物面であり、
前記蛍光発光部は、前記鏡面の焦点を含んで配置されていることができる。
【０００９】
このような光源装置によれば、鏡面において反射された第２の光は、平行光となり、外部に向けて出射されることができる。
【００１０】
本発明に係る光源装置において、
前記鏡面の形状は、楕円面であり、
前記蛍光発光部は、前記鏡面の焦点を含んで配置されていることができる。
【００１１】
このような光源装置によれば、鏡面において反射された第２の光は、集束光となり、外部に向けて出射されることができる。
【００１２】
本発明に係る光源装置において、
前記発光素子は、前記凹面鏡の前記鏡面とは反対の面側に配置されていることができる。
【００１３】
このような光源装置によれば、第２の光が、発光素子によって遮られることを防止することができる。
【００１４】
本発明に係る光源装置において、
前記鏡面に設けられ、前記蛍光発光部を支持する支持部を、さらに含み、
前記支持部の材質は、金属であることができる。
【００１５】
このような光源装置によれば、蛍光発光部の放熱性を向上させることができる。
【００１６】
本発明に係る光源装置において、
前記発光素子は、複数設けられていることができる。
【００１７】
このような光源装置によれば、光源装置の高出力化を図ることができる。
【００１８】
本発明に係る光源装置において、
複数の前記発光素子は、前記鏡面側から平面視して、前記蛍光発光部に対して回転対称に配置されていることができる。
【００１９】
このような光源装置によれば、蛍光発光部を対称性よく照射することができる。したがって、第２の光を、より均一な光強度分布とすることができる。
【００２０】
本発明に係るプロジェクターは、
本発明に係る光源装置と、
前記光源装置から出射された光を画像情報に応じて変調する光変調装置と、
前記光変調装置によって形成された画像を投射する投射装置と、
を含む。
【００２１】
このようなプロジェクターによれば、光源装置は、所望の方向に出射させることができるので、光の利用効率を向上させることができる。
【図面の簡単な説明】
【００２２】
【図１】本実施形態に係る光源装置を模式的に示す断面図。
【図２】本実施形態に係る光源装置を模式的に示す平面図。
【図３】本実施形態の第１変形例に係る光源装置を模式的に示す断面図。
【図４】本実施形態の第２変形例に係る光源装置を模式的に示す断面図。
【図５】本実施形態の第３変形例に係る光源装置を模式的に示す断面図。
【図６】本実施形態の第４変形例に係る光源装置を模式的に示す断面図。
【図７】本実施形態に係るプロジェクターを模式的に示す図。
【発明を実施するための形態】
【００２３】
以下、本発明の好適な実施形態について、図面を参照しながら説明する。
【００２４】
１．  光源装置
まず、本実施形態に係る光源装置について、図面を参照しながら説明する。図１は、本実施形態に係る光源装置１００を模式的に示す断面図である。図２は、本実施形態に係る光源装置１００を模式的に示す平面図である。なお、図１は、図２のＩ−Ｉ線断面図である。また、図２では、便宜上、第２の光Ｌ２の図示を省略している。
【００２５】
光源装置１００は、図１および図２に示すように、凹面鏡１０と、発光素子２０と、支持部３０と、蛍光発光部４０と、を含むことができる。
【００２６】
凹面鏡１０は、鏡面１２を有する。鏡面１２は、凹面鏡１０の内側の鏡面である。鏡面１２は、例えば、回転軸Ｒを軸として、２次曲線を回転させて得ることのできる面である。鏡面１２の形状は、例えば、放物面（回転放物面）である。鏡面１２の材質としては、例えば、ガラス、金属などが挙げられる。鏡面１２は、蛍光発光部４０が発する第２の光Ｌ２を反射させることができる。鏡面１２は、発光素子２０が出射する第１の光Ｌ１を透過させ、蛍光発光部４０が発する第２の光Ｌ２を反射させるダイクロイックミラーであってもよい。
【００２７】
発光素子２０は、第１の光Ｌ１を出射する。第１の光Ｌ１は、凹面鏡１０の図示しない入射口（孔）などを介し、あるいは鏡面１２がダイクロイックミラーである場合は鏡面１２を透過し、蛍光発光部４０を照射する。蛍光発光部４０は、第１の光Ｌ１により励起されて第２の光Ｌ２を発する。すなわち、第１の光Ｌ１は、蛍光発光部４０を励起するための励起光ともいえ、第２の光Ｌ２は、該励起光によって発せられる蛍光光ともいえる。第１の光Ｌ１は、例えば、波長変換効率のよい青色光や近紫外光などの短波長の光である。発光素子２０としては、例えば、半導体レーザーを用いることができる。半導体レーザーは、他の固体光源と比べて照射領域が小さいため、例えば、ピンポイントで蛍光発光部４０を照射することができる。そのため、光の利用効率を向上させることができる。なお、発光素子２０としては、半導体レーザーに限定されず、例えば、発光ダイオード（ＬＥＤ：Light Emitting Diode）を用いてもよい。
【００２８】
発光素子２０は、凹面鏡１０の鏡面１２とは反対側の面１４側、すなわち凹面鏡１０の外側に設けられている。これにより、光源装置１００では、蛍光発光部４０が発する第２の光Ｌ２が、発光素子２０によって遮られることを防止することができる。発光素子２０は、図２の例では、８つ設けられているが、その数は特に限定されない。図２に示す例では、複数の発光素子２０は、凹面鏡１０の鏡面１２側から平面視して、蛍光発光部４０に対して回転対称に配置されている。すなわち、複数の発光素子２０は、凹面鏡１０の鏡面１２側から平面視して、凹面鏡１０を囲むように等間隔に配置されている。これにより、蛍光発光部４０を対称性よく照射することができる。したがって、蛍光発光部４０が発する第２の光Ｌ２を、複数の発光素子が対称に配置されていない場合に比べて、より均一な光強度分布とすることができる。
【００２９】
複数の発光素子２０が出射する第１の光Ｌ１の光軸は、蛍光発光部４０の中心で交わることが望ましい。これにより、蛍光発光部４０を効率よく照射することができる。図１に示す例では、一方の発光素子２０が出射する第１の光Ｌ１の光軸と、他方の発光素子２０が出射する第２の光Ｌ１の光軸とは、一直線上にある。なお、発光素子２０は、図示せぬ支持部によって支持されていてもよい。
【００３０】
支持部３０は、鏡面１２に設けられている。支持部３０は、蛍光発光部４０を支持することができる。支持部３０は、例えば、棒状の形状を有し、その先端に蛍光発光部４０を設置することができる。図１に示す例では、支持部３０は、鏡面１２の回転軸Ｒ上に設けられている。支持部３０の材質は、例えば、金属であり、より具体的には、Ａｌ、Ｃｕ、Ａｇなどである。これにより、蛍光発光部４０の放熱性を向上させることができる。
【００３１】
蛍光発光部４０は、第１の光Ｌ１により励起されて発光する。蛍光発光部４０を励起させて得られる第２の光Ｌ２は、鏡面１２において反射され、照明光として、外部を照明する。蛍光発光部４０は、例えば、第１の光Ｌ１により励起されて発光する蛍光体、および蛍光体を分散させるための樹脂またはガラスで構成されている。
【００３２】
蛍光発光部４０は、凹面鏡１０の鏡面１２側に、凹面鏡１０と離間して設けられている。図１に示す例では、蛍光発光部４０は、支持部３０によって支持されることにより、凹面鏡１０と離間して設けられている。蛍光発光部４０は、鏡面１２の回転軸Ｒ上に配置されている。図１に示す例では、蛍光発光部４０は、放物面形状である鏡面１２の焦点Ｆを含んで配置されている。これにより、鏡面１２において反射された第２の光Ｌ２は、平行光となり、外部に向けて（凹面鏡１０の開口に向けて）出射されることができる。蛍光発光部４０の形状は、例えば、球である。この場合、蛍光発光部４０の中心と、焦点Ｆとは、一致していてもよい。これにより、効率よく平行光を得ることができる。
【００３３】
蛍光光である第２の光Ｌ２の色は、蛍光体を励起させる第１の光Ｌ１の色（波長）と、蛍光体の組成との組み合わせにより決定される。すなわち、第１の光Ｌ１の色（波長）に応じて蛍光体の種類を変えることで蛍光光の色を制御することができる。蛍光体の組成の一例として、以下のものを挙げることができる。
【００３４】
第１の光Ｌ１が青色の場合、第２の光Ｌ２が赤色となる蛍光体の組成の例としては、（Ｃａ，Ｓｒ）２Ｓｉ５Ｎ８：Ｅｕ、（Ｃａ，Ｓｒ）ＡｌＳｉＮ３：Ｅｕ、ＣａＳｉＮ２：Ｅｕを挙げることができる。第１の光Ｌ１が青色の場合、第２の光Ｌ２が緑色となる蛍光体の組成の例としては、ＺｎＳ：Ｃｕ，Ａｌ、ＳｒＧａ２Ｓ４：Ｅｕ、（Ｂａ，Ｓｒ）２ＳｉＯ４：Ｅｕ、ＳｒＡｌ２Ｏ４：Ｅｕ、（Ｓｉ，Ａｌ）６（Ｏ，Ｎ）８：Ｅｕを挙げることができる。第１の光Ｌ１が青色の場合、第２の光Ｌ２が黄色となる蛍光体の組成の例としては、Ｙ３Ａｌ５Ｏ１２：Ｃｅ（ＹＡＧ系）、ＣａＧａ２Ｓ４：Ｅｕ、ＳｒＳｉＯ４：Ｅｕを挙げることができる。
【００３５】
第１の光Ｌ１が近紫外光の場合、第２の光Ｌ２が赤色となる蛍光体の組成の例としては、Ｙ２Ｏ２Ｓ：Ｅｕ、３．５ＭｇＯ・０．５ＭｇＦ２・ＧｅＯ２：Ｍｎを挙げることができる。第１の光Ｌ１が近紫外光の場合、第２の光Ｌ２が青緑色となる蛍光体の組成の例としては、ＢａＭｇＡｌ１０Ｏ１７：Ｅｕ，Ｍｎ、ＬａＡｌ（ＳｉＡｌ）６Ｎ９Ｏ：Ｃｅを挙げることができる。第１の光Ｌ１が近紫外光の場合、第２の光Ｌ２が青色となる蛍光体の組成の例としては、（Ｃａ，Ｓｒ）５（ＰＯ４）３Ｃｌ：Ｅｕ、Ｓｒ２Ｐ２Ｏ７：Ｅｕ、ＢａＭｇＡｌ１０Ｏ１７：Ｅｕを挙げることができる。
【００３６】
また、上述した組成の蛍光体を混合して蛍光発光部４０を形成することにより、複数の色の蛍光光を発光させて、所望の色の光を得てもよい。例えば、第１の光Ｌ１が近紫外光の場合、蛍光光が赤色となる蛍光体、蛍光光が青色となる蛍光体、および蛍光光が緑色となる蛍光体を所定の割合で混合して蛍光発光部４０を形成することにより、白色の光を得ることができる。
【００３７】
光源装置１００は、例えば、ディスプレイ、照明装置、後述するプロジェクターなどの光源に適用されることができる。
【００３８】
本実施形態に係る光源装置１００は、例えば、以下の特徴を有する。
【００３９】
光源装置１００によれば、上述のとおり、蛍光発光部４０が発する第２の光Ｌ２は、凹面鏡１０の鏡面１２において反射され、外部に向けて（凹面鏡１０の開口に向けて）出射されることができる。すなわち、光源装置１００では、鏡面１２によって、第２の光Ｌ２を所望の方向に出射させることができる。
【００４０】
光源装置１００によれば、蛍光発光部４０は、放物面形状である鏡面１２の焦点Ｆを含んで配置されていることができる。これにより、鏡面１２において反射された第２の光Ｌ２は、平行光となり、外部に向けて出射されることができる。
【００４１】
光源装置１００によれば、発光素子２０は、凹面鏡１０の鏡面１２とは反対の面１４側に配置されていることができる。これにより、蛍光発光部４０が発する第２の光Ｌ２が、発光素子２０によって遮られることを防止することができる。
【００４２】
光源装置１００によれば、蛍光発光部４０は、金属の材質である支持部３０によって支持されていることができる。そのため、蛍光発光部４０の放熱性を向上させることができる。
【００４３】
光源装置１００によれば、発光素子２０は、複数設けられていることができる。そのため、光源装置１００の高出力化を図ることができる。
【００４４】
光源装置１００によれば、複数の発光素子２０は、鏡面１２側から平面視して、蛍光発光部４０に対して回転対称に配置されていることができる。これにより、蛍光発光部４０を対称性よく照射することができる。したがって、蛍光発光部４０が発する第２の光Ｌ２を、複数の発光素子が対称に配置されていない場合に比べて、より均一な光強度分布とすることができる。
【００４５】
２．  光源装置の変形例
２．１．  第１変形例に係る光源装置
次に、本実施形態の第１変形例に係る光源装置について、図面を参照しながら説明する。図３は、本実施形態の第１変形例に係る光源装置２００を模式的に示す断面図である。以下、本実施形態の第１変形例に係る光源装置２００において、本実施形態に係る光源装置１００の構成部材と同様の機能を有する部材については同一の符号を付し、その詳細な説明を省略する。
【００４６】
光源装置１００の例では、図１に示すように、鏡面１２の形状は放物面（回転放物面）であり、第２の光Ｌ２は、鏡面１２において反射されて平行光となり、外部に向けて出射された。
【００４７】
これに対し、光源装置２００では、図３に示すように、鏡面１２の形状は、楕円面（回転楕円面）である。これにより、第２の光Ｌ２は、鏡面１２において反射されて集束光となり、外部に向けて出射されることができる。
【００４８】
２．２．  第２変形例に係る光源装置
次に、本実施形態の第２変形例に係る光源装置について、図面を参照しながら説明する。図４は、本実施形態の第２変形例に係る光源装置３００を模式的に示す断面図である。以下、本実施形態の第２変形例に係る光源装置３００において、本実施形態に係る光源装置１００の構成部材と同様の機能を有する部材については同一の符号を付し、その詳細な説明を省略する。
【００４９】
光源装置３００では、図４に示すように、光源装置１００の例に比べて、発光素子２０の第１の光Ｌ１の光軸を支持部３０に近づけて、第１の光Ｌ１を面１４（凹面鏡１０の鏡面１２とは反対側の面）から入射口（図示せず）を介して入射させている。これにより、光源装置３００では、第１の光Ｌ１を蛍光発光部４０の支持部３０側に集中して照射できるので、光源装置１００の例に比べて、第２の光Ｌ２をより多く鏡面１２側に向かわせることが可能となり、凹面鏡１０の開口に向かう平行光の光束量を増大させることができる。
【００５０】
２．３．  第３変形例に係る光源装置
次に、本実施形態の第３変形例に係る光源装置について、図面を参照しながら説明する。図５は、本実施形態の第３変形例に係る光源装置４００を模式的に示す断面図である。以下、本実施形態の第３変形例に係る光源装置４００において、本実施形態の第２変形例に係る光源装置３００の構成部材と同様の機能を有する部材については同一の符号を付し、その詳細な説明を省略する。
【００５１】
光源装置３００の例では、図４に示すように、蛍光発光部４０は、鏡面１２に形成された支持部３０によって支持されていた。
【００５２】
これに対し、光源装置４００では、図５に示すように、透明板５０を有し、支持部３０は、透明板５０に設けられ、蛍光発光部４０を支持している。そのため、光源装置４００によれば、鏡面１２に向かう第２の光Ｌ２が、支持部３０によって遮られることを防止することができる。
【００５３】
透明板５０は、例えば、凹面鏡１０の開口を封止して設けられている。透明板５０は、第２の光Ｌ２を透過させることができる。すなわち、鏡面１２において反射された第２の光Ｌ２は、透明板５０を透過して外部に出射される。透明板５０の材質としては、例えば、ガラスなどを用いることができる。透明板５０の鏡面１２側の面５２（支持部３０が設けられている面）と、鏡面１２と、によって区画される空間内に、蛍光発光部４０は、配置されている。
【００５４】
２．４．  第４変形例に係る光源装置
次に、本実施形態の第４変形例に係る光源装置について、図面を参照しながら説明する。図６は、本実施形態の第４変形例に係る光源装置５００を模式的に示す断面図である。以下、本実施形態の第４変形例に係る光源装置５００において、本実施形態の第２変形例に係る光源装置３００の構成部材と同様の機能を有する部材については同一の符号を付し、その詳細な説明を省略する。
【００５５】
光源装置５００では、図６に示すように、反射部７０を有する。反射部７０は、鏡面７２を有する。発光素子２０から出射された第１の光Ｌ１のうち、蛍光発光部４０において吸収されずに蛍光発光部４０を透過する光（透過光）がある場合、鏡面７２は、該透過光を反射させることができる。鏡面７２において反射された該透過光は、蛍光発光部４０を照射し、蛍光発光部４０を励起させることができる。そのため、光源装置５００では、光源装置３００の例に比べて、第２の光Ｌ２を得るための第１の光Ｌ１の光の利用効率を向上させることができる。鏡面７２の形状は、鏡面７２において反射された光が蛍光発光部４０を照射することができれば、特に限定されない。図示の例では、鏡面７２の形状は、蛍光発光部４０の中心部を中心とした球面の一部分をなす凹面である。鏡面７２と、鏡面１２の一部とは、向かい合った構成で、鏡面１２の光の焦点部と鏡面７２の光の焦点部とを共有し合う関係になっている。鏡面７２は、発光素子２０が出射する第１の光Ｌ１を透過させ、蛍光発光部４０が発する第２の光Ｌ２を反射させるダイクロイックミラーであってもよい。また、鏡面７２の材質は、金属であってもよい。
【００５６】
反射部７０は、例えば、蛍光発光部４０から延出された支持部８０によって支持されている。支持部８０は、例えば、棒状の形状を有し、その先端に反射部７０を設置することができる。図示の例では、支持部８０は、鏡面１２の回転軸Ｒ上に設けられている。支持部８０の材質は、例えば、ガラスや金属であり、金属としては具体的には、Ａｌ、Ｃｕ、Ａｇなどである。これにより、蛍光発光部４０の放熱性を向上させることができる。
【００５７】
３．  プロジェクター
次に、本実施形態に係るプロジェクターについて、図面を参照しながら説明する。図７は、プロジェクター７００を模式的に示す図である。なお、図７では、便宜上、プロジェクター７００を構成する筐体は省略している。
【００５８】
プロジェクター７００は、図７に示すように、赤色光、緑色光、青色光をそれぞれ出射する赤色光源１００Ｒ、緑色光源１００Ｇ、青色光源１００Ｂを有する。赤色光源１００Ｒとしては、赤色光を発する（第２の光Ｌ２が赤色となる）蛍光発光部４０を備えた、本発明に係る光源装置（以下の例では、光源装置１００）を用いることができる。緑色光源１００Ｇとしては、緑色光を発する（第２の光Ｌ２が緑色となる）蛍光発光部４０を備えた光源装置１００を用いることができる。青色光源１００Ｂとしては、青色光を出射する発光素子２０を用いてもよいし、発光素子２０から出射された近紫外光（第１の光Ｌ１）によって、青色光を発する（第２の光Ｌ２が青色となる）蛍光発光部４０を備えた光源装置１００を用いてもよい。
【００５９】
プロジェクター７００は、光源１００Ｒ，１００Ｇ，１００Ｂから出射された光をそれぞれ画像情報に応じて変調する透過型の液晶ライトバルブ（光変調装置）７０４Ｒ，７０４Ｇ，７０４Ｂと、液晶ライトバルブ７０４Ｒ，７０４Ｇ，７０４Ｂによって形成された像を拡大してスクリーン（表示面）７１０に投射する投射レンズ（投射装置）７０８と、を備えている。また、プロジェクター７００は、液晶ライトバルブ７０４Ｒ，７０４Ｇ，７０４Ｂから出射された光を合成して投写レンズ７０８に導くクロスダイクロイックプリズム（色光合成手段）７０６を備えていることができる。
【００６０】
さらに、プロジェクター７００は、光源１００Ｒ，１００Ｇ，１００Ｂから出射された光の照度分布を均一化させるため、各光源１００Ｒ，１００Ｇ，１００Ｂよりも光路下流側に、均一化光学系７０２Ｒ，７０２Ｇ，７０２Ｂを設けており、これらによって照度分布が均一化された光によって、液晶ライトバルブ７０４Ｒ，７０４Ｇ，７０４Ｂを照明している。均一化光学系７０２Ｒ，７０２Ｇ、７０２Ｂは、例えば、ホログラム７０２ａおよびフィールドレンズ７０２ｂによって構成される。
【００６１】
各液晶ライトバルブ７０４Ｒ，７０４Ｇ，７０４Ｂによって変調された３つの色光は、クロスダイクロイックプリズム７０６に入射する。このプリズムは４つの直角プリズムを貼り合わせて形成され、その内面に赤色光を反射する誘電体多層膜と青色光を反射する誘電体多層膜とが十字状に配置されている。これらの誘電体多層膜によって３つの色光が合成され、カラー画像を表す光が形成される。そして、合成された光は投写光学系である投射レンズ７０６によりスクリーン７１０上に投写され、拡大された画像が表示される。
【００６２】
プロジェクター７００によれば、上述のように、所望の方向に出射させることができる光源装置１００を有することができる。そのため、プロジェクター７００では、光の利用効率を向上させることができる。
【００６３】
なお、上述の例では、光変調装置として透過型の液晶ライトバルブを用いたが、液晶以外のライトバルブを用いてもよいし、反射型のライトバルブを用いてもよい。このようなライトバルブとしては、例えば、反射型の液晶ライトバルブや、デジタルマイクロミラーデバイス（Digital Micromirror Device）が挙げられる。また、投射光学系の構成は、使用されるライトバルブの種類によって適宜変更される。
【００６４】
なお、上述した実施形態および変形例は一例であって、これらに限定されるわけではない。例えば、各実施形態および各変形例を適宜組み合わせることも可能である。
【００６５】
上記のように、本発明の実施形態について詳細に説明したが、本発明の新規事項および効果から実体的に逸脱しない多くの変形が可能であることは当業者には容易に理解できよう。従って、このような変形例はすべて本発明の範囲に含まれるものとする。
【符号の説明】
【００６６】
１０  凹面鏡、１２  凹面鏡の鏡面、１４  凹面鏡の面、２０  発光素子、
３０  支持部、４０  蛍光発光部、５０  透明板、５２  透明板の面、７０  反射部、
７２  反射部の鏡面、８０  支持部、１００〜５００  光源装置、
７００  プロジェクター、７０２  均一化光学系、７０２ａ  ホログラム、
７０２ｂ  フィールドレンズ、７０４  液晶ライトバルブ、
７０６  クロスダイクロイックプリズム、７０８  投写レンズ、７１０  スクリーン
【図１】
2011164449.tif 000003
【図２】
2011164449.tif 000004
【図３】
2011164449.tif 000005
【図４】
2011164449.tif 000006
【図５】
2011164449.tif 000007
【図６】
2011164449.tif 000008
【図７】
2011164449.tif 000009